(57)【要約】【課題】前後に対向して配置されたデスク同士を、デスク側に加工を施すことなく、強固に、かつ良好な施工性で連結する。【解決手段】平板状の基板６ａと、この基板の前後端部から立上る上向片６ｂとによって形成された上向きコ字状の把持部６ｃと、前記上向片６ｂの上端に回動可能に設けられた係止部６ｄとから構成されるデスク連結用金具６を、下方から、デスクの両幕板５の下端部に外嵌させるとともに、係止部６をもって幕板５の下端部にデスク連結用金具６を固定することにより、デスク同士を連結する。【選択図】  図３
2017109008.tif 000002
【特許請求の範囲】
【請求項１】
左右に離間して配設された脚体と、前記脚体上部間に架設された天板と、前記脚体同士を連結する横架部材とを有するデスクを、互いに前後に対向して配置してなるデスクシステムにおけるデスクの連結構造であって、平板状の基板と、この基板の前後端部から立上る上向片とによって形成された上方と左右が開口する上向きコ字状の把持部と、前記上向片にそれぞれ設けられた固定手段とによって固定部材が構成されるとともに、前記固定部材を、前記前後のデスクの両横架部材の下方から前記両横架部材の少なくとも下端部が前記固定部材の把持部の上方と左右が開口する空間内に内包されるように配設し、かつ前記固定部材の固定手段をもって、前記固定部材を前記両横架部材に固定したことを特徴とするデスクの連結構造。
【請求項２】
横架部材がデスクの背面に設けられた幕板であり、前後に対向して配置されたデスクの両幕板の下端部を固定部材をもって連結した請求項１記載のデスクの連結構造。
【請求項３】
幕板が、上下方向を向く垂下部と、この垂下部の下端からデスクの前側に向って水平方向に延設された水平部と、この水平部前端から上方に向って延設された前縁部とから形成されるとともに、固定部材の固定手段が上向片の上端に回動可能に設けられた係止部として形成され、前記固定部材の把持部の空間内に前記幕板の前縁部を位置させた状態で、前記係止部を回動させて、前記前縁部を前記固定部材の上向片と係止部をもって挟持させることにより前記固定部材を前記幕板に固定した請求項２記載のデスクの連結構造。
【請求項４】
幕板が、上下方向を向く垂下部と、この垂下部の下端からデスクの前側に向って水平方向に延設された水平部と、この水平部前端から上方に向って延設された前縁部とから形成されるとともに、固定部材の固定手段が上向片の上端に回動可能に設けられた係止部として形成され、前記固定部材の把持部の空間内に前記幕板の前縁部を位置させた状態で、前記係止部を回動させて、この係止部を前記幕板の垂下部に固定することにより、前記固定部材を前記幕板に固定した請求項２記載のデスクの連結構造。
【請求項５】
固定部材の係止部に磁石を貼着し、前記係止部を幕板の前縁部または垂下部に磁着させた請求項３または４に記載のデスクの連結構造。
【請求項６】
固定部材における上向片の上端部に、デスクの背面側に向って延びる爪部を設けるとともに、前記爪部を幕板における前縁部の上端に係止することにより、前記固定部材を前記幕板に固定した請求項２記載のデスクの連結構造。
【請求項７】
横架部材が、天板の下方に離間して設けられた横架部材であり、前後に対向して配置されたデスクの両横架部材が固定部材の把持部の上方と左右が開口する空間内に内包されるように固定部材を配設するとともに、固定部材の上向片の上端部に、デスクの背面側に向って延びる爪部を設けて、この爪部を前記横架部材の上端面に係止させることにより、前記固定部材を前記横架部材に固定した請求項１記載のデスクの連結構造。
【請求項８】
固定部材の基板の上面に磁石を貼着し、前記基板を横架部材の下面に磁着させた請求項１〜７のいずれかに記載のデスクの連結構造。
【請求項９】
平板状の基板と、この基板の前後端部から立上る上向片とによって形成された上方と左右が開口する上向きコ字状の把持部と、前記上向片の上端に回動可能に設けられた固定手段としての係止部とから構成されたことを特徴とするデスク連結用金具。
【発明の詳細な説明】
【技術分野】
【０００１】
本発明は、オフィスや公共施設等の執務空間において互いに隣設して配置されたデスク同士を連結するための構造に関する。
【背景技術】
【０００２】
オフィスや公共施設等の執務空間においては、前後、左右に隣設して複数のデスクを配置するレイアウトが多くみられる。こうしたレイアウトにおいては、隣設して配置されたデスク同士を所定の離間距離を維持させて配置することが、体裁上とともに、執務者にも公平感を与えるうえで望ましい。
【０００３】
デスク同士を所定の離間距離で固定する方法としては、たとえば特許文献１〜４に開示されるように、隣設して配置された各デスクの所定の部位同士を連結金具等で固定する方法が多くみられる。これらの方法によれば安定的にデスク同士を固定することができるとともに、什器としての耐震性も向上させることができる。
【０００４】
しかし、これらの開示された方法では、デスク側に連結金具を固定するための加工を施すことが必要である。このためデスクを再度単体で使用する場合や、他のデスクを連結しない側等に加工部分が露呈することになり、体裁が悪くなるばかりでなく、加工工数が多くなるとともに、相応のコストが必要となるという問題を有する。
【０００５】
一方、前記問題を鑑みて、たとえば、特許文献５、６には、隣設して配置されたデスクのアジャスター同士を連結金具で連結する方法も開示されている。
【０００６】
これらの方法によれば、デスク本体に新たな加工を施す必要がなく、加工工数およびコストを低く抑えることができる。また、デスク同士の連結部がデスク下方の目立たない位置となるため、体裁を損なうこともない。
【０００７】
しかしながら、デスク同士をアジャスターを用いて連結する方法では、執務者の足やその他の物品に接触する可能性が高く、連結が外れてしまう虞がある。
【０００８】
また、前後に対向して配置されたデスク同士を左右に並べることによって、島型レイアウトが構成されている場合には、各デスクの後部アジャスター同士を連結することになるが、連結部分が低い位置であるとともに、施工用の空間が確保できないため施工性が極めて悪いという問題を有する。
【先行技術文献】
【特許文献】
【０００９】
【特許文献１】特許第４１３０２８４号公報
【特許文献２】特開２０１２−０９０６９１号公報
【特許文献３】特開２００８−０９３２５３号公報
【特許文献４】特許第４９７２７５９号公報
【特許文献５】特開平０９−１４９８２７号公報
【特許文献６】実公平０２−０４７８５６号公報
【発明の概要】
【発明が解決しようとする課題】
【００１０】
本発明は、前記の現状に鑑みてなされたものであり、前後に対向して配置されたデスク同士を、デスク側に加工を施すことなく、強固に連結でき、かつ施工性が良好でコスト上も安価な連結構造を提供することを目的とする。
【課題を解決するための手段】
【００１１】
本発明によると、前記課題は、次のような手段によって解決される。
（１）左右に離間して配設された脚体と、前記脚体上部間に架設された天板と、前記脚体同士を連結する横架部材とを有するデスクを、互いに前後に対向して配置してなるデスクシステムにおけるデスクの連結構造であって、平板状の基板と、この基板の前後端部から立上る上向片とによって形成された上方と左右が開口する上向きコ字状の把持部と、前記上向片にそれぞれ設けられた固定手段とによって固定部材が構成されるとともに、前記固定部材を、前記前後のデスクの両横架部材の下方から前記両横架部材の少なくとも下端部が前記固定部材の把持部の上方と左右が開口する空間内に内包されるように配設し、かつ前記固定部材の固定手段をもって、前記固定部材を前記両横架部材に固定したことを特徴とするデスクの連結構造とする。
このような構成とすることにより、前後に対向して配置されたデスク同士を、デスク側に加工を施すことなく、強固に連結でき、かつ施工性が良好でコスト上も安価に連結することができる。
【００１２】
（２）前記（１）項において、横架部材がデスクの背面に設けられた幕板であり、前後に対向して配置されたデスクの両幕板の下端部を固定部材をもって連結する。
このような構成とすることにより、前後に対向して配置されたデスクを、両デスクの幕板同士を固定する手段によって、強固に連結することができる。
【００１３】
（３）前記（２）項において、幕板が、上下方向を向く垂下部と、この垂下部の下端からデスクの前側に向って水平方向に延設された水平部と、この水平部前端から上方に向って延設された前縁部とから形成されるとともに、固定部材の固定手段が上向片の上端に回動可能に設けられた係止部として形成され、前記固定部材の把持部の空間内に前記幕板の前縁部を位置させた状態で、前記係止部を回動させて、前記前縁部を前記固定部材の上向片と係止部をもって挟持させることにより前記固定部材を前記幕板に固定する。
このような構成とすることにより、両デスクの幕板の前縁部が、それぞれ固定部材の上向片と係止部をもって挟持されているため、両デスクを所定の離間距離を維持して強固に連結することができる。
【００１４】
（４）前記（２）項において、幕板が、上下方向を向く垂下部と、この垂下部の下端からデスクの前側に向って水平方向に延設された水平部と、この水平部前端から上方に向って延設された前縁部とから形成されるとともに、固定部材の固定手段が上向片の上端に回動可能に設けられた係止部として形成され、前記固定部材の把持部の空間内に前記幕板の前縁部を位置させた状態で、前記係止部を回動させて、この係止部を前記幕板の垂下部に固定することにより、前記固定部材を前記幕板に固定する。
このような構成とすることにより、幕板の垂下部に固定された係止部が幕板の前縁部の上方に位置しているため、固定部材が幕板の下端部から脱落することなく幕板に固定される。
【００１５】
（５）前記（３）項または（４）項において、固定部材の係止部に磁石を貼着し、前記係止部を幕板の前縁部または垂下部に磁着させる。
このような構成とすることにより、固定部材が幕板の下端部により一層、強固に固定される。
【００１６】
（６）前記（２）項において、固定部材における上向片の上端部に、デスクの背面側に向って延びる係止爪を設けるとともに、前記係止爪を幕板における前縁部の上端に係止することにより、前記固定部材を前記幕板に固定する。
このような構成とすることにより、固定部材を容易に幕板の下端部に固定することができる。
【００１７】
（７）前記（１）項において、横架部材が、天板の下方に離間して設けられた横架部材であり、前後に対向して配置されたデスクの両横架部材が固定部材の把持部の上方と左右が開口する空間内に内包されるように固定部材を配設するとともに、固定部材の上向片の上端部に、デスクの背面側に向って延びる係止爪を設けて、この係止爪を前記横架部材の上端面に係止させることにより、前記固定部材を前記横架部材に固定する。
このような構成とすることにより、デスクの背面に幕板が設けられず、天板の下方に離間して横架部材が設けられているデスクの場合であっても、前後に対向して配置されているデスクの前記両横架部材同士を固定部材をもって連結させることにより、両デスクを容易かつ強固に連結することができる。
【００１８】
（８）前記（１）項〜（７）項のいずれかにおいて、固定部材の基板の上面に磁石を貼着し、前記基板を横架部材の下面に磁着させる。
このような構成とすることにより、固定部材が横架部材により一層、強固に固定される。
【００１９】
（９）平板状の基板と、この基板の前後端部から立上る上向片とによって形成された上方と左右が開口する上向きコ字状の把持部と、前記上向片の上端に回動可能に設けられた固定手段としての係止部とから構成されたことを特徴とするデスク連結用金具とする。
このような構成を有する金具とすることにより、この金具を用いて、前後に対向して配置されたデスク同士を、デスク側に加工を施すことなく、強固に連結でき、かつ施工性が良好でコスト上も安価に連結することができる。
【発明の効果】
【００２０】
本発明は、前後に対向して配置されたデスク同士を、デスク側に加工を施すことなく、強固に連結でき、かつ施工性が良好でコスト上も安価に連結することができる。
【図面の簡単な説明】
【００２１】
【図１】前後に対向して配置されたデスクを本発明の連結構造により連結する一実施形態を示す斜視図である。
【図２】本発明の連結構造に使用する連結金具の一実施形態を示す斜視図である。
【図３】本発明の連結構造の第１実施形態を説明するための拡大して示す要部断面図である。
【図４】本発明の連結構造の第２実施形態を説明するための拡大して示す要部断面図である。
【図５】本発明の連結構造の第３実施形態を拡大して示す要部断面図である。
【図６】本発明の連結構造の第４実施形態を拡大して示す要部断面図である。
【発明を実施するための形態】
【００２２】
以下、本発明を、実施形態を示す図面に基づいて説明する。
図１は、前後に対向して配置されたデスクを本発明の連結構造により連結する一実施形態を示す斜視図である。
デスク１は、左右に離間して配設された脚体２と、脚体２の上部間に架設された天板３と、脚体同士を連結する横架部材４としてデスク１の背面に設けられた幕板５とを有する。
【００２３】
両デスク１は、固定部材としてのデスク連結用金具６を用いて連結される。デスク連結用金具６は、図１に示すように、通常、幕板５の下端部における左右両端近傍に固定される。
【００２４】
図２は、デスク連結用金具６の一実施形態を示す斜視図である。
デスク連結用金具６は、平板状の基板６ａと、この基板６ａの前後端部から立上る上向片６ｂとによって形成された上方と左右が開口する空間部が設けられた側面視上向きコ字状の把持部６ｃと、前記一対の上向片６ｂにそれぞれ設けられた固定手段としての係止部６ｄとより構成される。係止部６ｄは、上向片６ｂの上端に蝶番６ｅによって、回動可能に設けられている。
【００２５】
また、基板６ａの上面における前後端近傍および係止片６ｄには板状の磁石６ｆ、６ｇが貼着されている。
【００２６】
図３は、本発明の連結構造の第１実施形態を説明するための拡大して示す要部断面図である。幕板５は、上下方向を向く垂下部５ａと、この垂下部５ａの下端からデスクの前側すなわち背面側と反対側に向って水平方向に延設された水平部５ｂと、この水平部前端から上方に向って延設された前縁部５ｃとから形成されている。
【００２７】
デスク連結用金具６を用いて両デスクを連結するには、次の手順による。
【００２８】
まず、図３に示すように、前後に対向して配置されたデスクの両幕板５の下方から、両幕板５の少なくとも下端部が、デスク連結用金具６における基板６ａと、この基板６ａの前後端部から立上る上向片６ｂとによって形成された、上方と左右が開口する空間部が設けられた側面視上向きコ字状の把持部６ｃの空間内に内包されるように、デスク連結用金具６を配設し、デスク連結用金具６の基板６ａを両幕板５の水平部５ｂの下面に磁石６ｆをもって磁着させる。
【００２９】
次いで、図３の右半部分に示すように、デスク連結用金具６の係止部６ｄを回動させて、図３の左半部分に示すように、幕板５の前縁部５ｃをデスク連結用金具６の上向片６ｂと係止部６ｄをもって挟持させた状態で係止部６ｄを磁石６ｇにより前縁部５ｃに磁着させる。右半部分についても同様である。
【００３０】
このようにして、デスク連結用金具６を幕板５に固定することにより、両デスクは、強固に連結される。
【００３１】
本発明は、このようにデスク連結用金具６を両デスクの幕板５に前記の手順により固定するだけの連結構造であるため、施工性が良好であるとともに、デスク側にデスク連結用金具６を固定するための加工を施すことも不要であり、コスト上も安価である。
【００３２】
図４は、本発明の連結構造の第２実施形態を説明するための拡大して示す要部断面図である。なお、幕板５の形状は第１実施形態と同一であるため、幕板５については第１実施形態と同一の符号を付してある。
【００３３】
本実施形態におけるデスク連結用金具７も、第１実施形態におけるデスク連結用金具６と同様に、平板状の基板７ａと、この基板７ａの前後端部から立上る上向片７ｂとによって形成された上方と左右が開口する空間部が設けられた側面視上向きコ字状の把持部７ｃと、前記一対の上向片７ｂにそれぞれ設けられた固定手段としての係止部７ｄとより構成され、係止部７ｄは蝶番７ｅにより回動可能となっているが、係止部７ｄの形状が第１実施形態のデスク連結用金具６とは相異する。
【００３４】
すなわち、第１実施形態のデスク連結用金具６における係止片６ｄは、側面視がコ字状の一端に、磁石６ｇが貼着された延設片が付設された形状であったが、本実施形態のデスク連結用金具７における係止片７ｄは、側面視がＬ字状をなし、Ｌ字状の底面に磁石７ｇが貼着されている。
【００３５】
デスク連結用金具７を幕板５の下端部に固定するには、第１実施形態の場合と同様に、両幕板５の下端部がデスク連結用金具７の把持部７ｃの空間内に内包されるように、デスク連結用金具７を配設し、デスク連結用金具７の基板７ａを両幕板５の水平部５ｂの下面に磁石７ｆをもって磁着させる。
【００３６】
次いで、図４の右半部分に示すように、デスク連結用金具７の係止部７ｄを回動させて、図４の左半部分に示すように、係止部７ｄを磁石７ｇにより幕板５の垂下部５ａに磁着させる。右半部分についても同様である。
このようにして、デスク連結用金具７を幕板５に固定することにより、両デスクは、強固に連結される。
【００３７】
図５は、本発明の連結構造の第３実施形態を拡大して示す要部断面図である。
なお、幕板５の形状は第１実施形態と同一であるため、幕板５については第１実施形態と同一の符号を付してある。
【００３８】
本実施形態におけるデスク連結用金具８は、平板状の基板８ａと、この基板８ａの前後端部から立上る上向片８ｂとによって形成された上方と左右が開口する空間部が設けられた側面視上向きコ字状の把持部８ｃと、前記一対の上向片８ｂの上端部にそれぞれ設けられた固定手段としての、デスク１の背面側に向って延びる係止爪８ｄとより構成され、基板８ａの上面には磁石８ｅが貼着されている。
【００３９】
デスク連結用金具８を幕板５の下端部に固定するには、デスク連結用金具８における一対の上向片８ｂの上端部を前後外側に押圧して把持部８ｃの上方開口幅を広げた状態で、デスク連結用金具８を下方から両幕板５の下端部に外嵌させるとともに、係止爪８ｄを幕板５の前縁部５ｃの上端５ｄに係止させればよい。
【００４０】
また、基板８ａを両幕板５の水平部５ｂの下面に磁石８ｅをもって固着させる。
【００４１】
図６は、本発明の連結構造の第４実施形態を拡大して示す要部断面図である。
本実施形態は、横架部材が天板３の下方に離間して設けられた横架部材９である場合の連結構造を示す。
【００４２】
本実施形態におけるデスク連結用金具１０は、第３実施形態におけるデスク連結用金具８と同様に、平板状の基板１０ａと、この基板１０ａの前後端部から立上る上向片１０ｂとによって形成された上方と左右が開口する空間部が設けられた側面視上向きコ字状の把持部１０ｃと、前記一対の上向片１０ｂの上端部にそれぞれ設けられた固定手段としての係止爪１０ｄとより構成される。
【００４３】
デスク連結用金具１０を横架部材９に固定するには、第３実施形態の場合と同様に、デスク連結用金具１０における一対の上向片１０ｂの上端部を前後外側に押圧して把持部１０ｃの上方開口幅を広げた状態で、デスク連結用金具１０を下方から両横架部材９に外嵌させるとともに、係止爪１０ｄを横架部材９の上端面９ａに係止させればよい。
【００４４】
また、基板１０ａを両横架部材９の下面に磁石１０ｅをもって磁着させる。
【００４５】
本発明は、以上説明したように、前後に対向して配置されたデスク同士を、デスク側に何らの加工を施すことなく、強固に連結でき、かつ施工性が良好でコスト上も安価に連結することができる技術を提供するものである。
【符号の説明】
【００４６】
１    デスク
２    脚体
３    天板
４    横架部材
５    幕板（横架部材）
５ａ  垂下部
５ｂ  水平部
５ｃ  前縁部
５ｄ  上端
６    デスク連結用金具（固定部材）
６ａ  基板
６ｂ  上向片
６ｃ  把持部
６ｄ  係止部（固定手段）
６ｅ  蝶番
６ｆ、６ｇ  磁石
７    デスク連結用金具（固定部材）
７ａ  基板
７ｂ  上向片
７ｃ  把持部
７ｄ  係止部（固定手段）
７ｅ  蝶番
７ｆ、７ｇ  磁石
８    デスク連結用金具（固定部材）
８ａ  基板
８ｂ  上向片
８ｃ  把持部
８ｄ  係止爪（固定手段）
８ｅ  磁石
９    横架部材
９ａ  上端面
１０    デスク連結用金具（固定部材）
１０ａ  基板
１０ｂ  上向片
１０ｃ  把持部
１０ｄ  係止爪（固定手段）
１０ｅ  磁石
【図１】
2017109008.tif 000003
【図２】
2017109008.tif 000004
【図３】
2017109008.tif 000005
【図４】
2017109008.tif 000006
【図５】
2017109008.tif 000007
【図６】
2017109008.tif 000008